(57)【要約】【課題】据置き架台を有効活用して浴室と隣室の間を仕切ること。【解決手段】浴槽１１と隣室４の間に、隣室４の室内床面１６ａより上方に位置する上方横部材１３ａと上方横部材１３ａを支持する縦部材１３ｂで組み立てた架台１３を据え置き、浴室１の浴槽設置領域２と隣室４の間の仕切壁６を、架台１３を用いて構築し、浴槽設置領域２と隣室４に該架台１３を臨ませたことをたこと。架台１３の上面に、天井１５に連結する仕切壁体１４を据え置いた。【効果】架台１３及び架台１３に据え置いた仕切壁体１４を用いて浴室１と隣室４を仕切ることにより、浴室１及び／又は隣室３の容積を拡大できる。【選択図】図２
2005240329.tif 000002
【特許請求の範囲】
【請求項１】
浴槽と浴室外の間に、浴室外の床面より上方に位置する上方横部材と該上方横部材を支持する縦部材で組み立てた架台を据え置き、浴室の浴槽設置領域と浴室外の間の仕切壁を該架台を用いて構築し、浴槽設置領域と浴室外に該架台を臨ませたことを特徴とする浴室と浴室外の間の仕切り構造。
【請求項２】
前記架台の上面に、天井に連結する仕切壁体を据え置き、前記浴室の浴槽設置領域と浴室外の間の仕切壁を前記架台と共に該仕切壁体を用いて構築した請求項１記載の浴室と浴室外の間の仕切り構造。
【請求項３】
前記架台の上面に取付けた連結具で前記仕切壁体の下端を固定し、前記架台の上面の前記浴槽から前記浴室外へ向かう幅方向の寸法が該連結具の同幅方向の寸法より大きい請求項２記載の浴室と浴室外の間の仕切り構造。
【請求項４】
前記浴室外側に、前記架台の上方横部材及び縦部材で囲まれる空間まで入り込む凹部が開口している請求項１，２又は３記載の浴室と浴室外の間の仕切り構造。
【請求項５】
前記架台の上方横部材及び縦部材で囲まれる空間が、前記浴槽の外回りの空間と前記浴室外の間で貫通可能となっている請求項１，２，３又は４記載の浴室と浴室外の間の仕切り構造。
【請求項６】
前記空間は、前記浴室外に手前側が開口し、奥側が前記架台に取着した蓋部で覆われている請求項５記載の浴室と浴室外の間の仕切り構造。
【請求項７】
前記架台と前記浴室を形成する壁パネルの間に桟材を架設し、前記浴槽を覆うエプロンを該桟材に取り付けた請求項１乃至６のいずれか１項に記載の浴室と浴室外の間の仕切り構造。
【発明の詳細な説明】
【技術分野】
【０００１】
本発明は、浴室と浴室外の間を仕切る構造に関するものである。
【背景技術】
【０００２】
従来、浴室の浴槽設置領域と浴室外の間は、浴槽の外回りに架台を据え置く場合であっても、架台と別体の室壁を形成する仕切壁で仕切られている（特許文献１）。一般に、この仕切壁は、浴室ユニットを用いる乾式施工の場合には、浴室ユニットの壁パネルと木質素材等で構築した躯体壁とからなる二重壁で構成され、浴室ユニットを用いない湿式工法の場合には、ブロックをセメントモルタルで段積みして構築した躯体壁で構成される。
【特許文献１】特開平７−３１７３４０号公報
【発明の開示】
【発明が解決しようとする課題】
【０００３】
従来の仕切壁を用いる仕切り構造は、浴室と浴室外の間の仕切りに前記架台が有効活用されておらず、また、仕切壁の厚み寸法だけ浴室及び／又は浴室外が狭くなる問題がある。
そこで、本発明は、上記問題を解決するために、従来の前記仕切壁を用いることなく、据置き架台を有効活用して浴室と浴室外の間を仕切る構造を提起するものである。
【課題を解決するための手段】
【０００４】
据置き架台を有効活用して浴室と浴室外の間を仕切るために請求項１記載の本発明が採用した手段は、浴槽と浴室外の間に、浴室外の室内床面より上方に位置する上方横部材と該上方横部材を支持する縦部材で組み立てた架台を据え置き、浴室の浴槽設置領域と浴室外の間の仕切壁を該架台を用いて構築し、浴槽設置領域と浴室外に該架台を臨ませたことを特徴とする浴室と浴室外の間の仕切り構造である。
本発明にあっては、浴室の浴槽設置領域と浴室外の間の仕切壁を架台を用いて構築しているので架台の有効利用が図れると共に、従来の室壁を形成する仕切壁が不要となるので浴室及び／又は浴室外の容積を拡大できる。
【０００５】
据置き架台を有効活用して浴室と浴室外の間を仕切るために請求項２記載の本発明が採用した手段は、前記架台の上面に、天井に連結する仕切壁体を据え置き、前記浴室の浴槽設置領域と浴室外の間の仕切壁を前記架台と共に該仕切壁体を用いて構築した請求項１記載の浴室と浴室外の間の仕切り構造である。
本発明にあっては、浴室と浴室外の間の仕切壁を、架台に据え置いた仕切壁体を用いて構築しているので、従来の室壁を形成する仕切壁が不要となり、浴室及び／又は浴室外の容積を拡大できる。
【０００６】
架台に仕切壁体を据え置き施工するときの施工性を向上させるために請求項３記載の本発明が採用した手段は、前記架台の上面に取付けた連結具で前記仕切壁体の下端を固定し、前記架台の上面の前記浴槽から前記浴室外へ向かう幅方向の寸法が該連結具の同幅方向の寸法より大きい請求項２記載の浴室と浴室外の間の仕切り構造である。
本発明にあっては、架台の上面の幅方向の寸法が連結具の幅方向の寸法より大きいことから、架台の上面に取り付ける連結具の位置の調整代が得られる。
【０００７】
浴室外を広く感じさせるために請求項４記載の本発明が採用した手段は、前記浴室外側に、前記架台の上方横部材及び縦部材で囲まれる空間まで入り込む凹部が開口している請求項１，２又は３記載の浴室と浴室外の間の仕切り構造である。
本発明にあっては、架台の開口する凹部だけ、浴室外の室内容積が大きくなる。
【０００８】
浴槽の外回りの作業領域を拡大するために請求項５記載の本発明が採用した手段は、前記架台の上方横部材及び縦部材で囲まれる空間が、前記浴槽の外回りの空間と前記浴室外の間で貫通可能となっている請求項１，２，３又は４記載の浴室と浴室外の間の仕切り構造である。
本発明にあっては、浴槽の外回りの空間と浴室外の間で貫通する架台の空間を介して浴室外から浴槽の外回りの作業ができる。
【０００９】
浴槽の外回りの作業や点検の後に浴室の浴槽設置領域と浴室外の間で湿気の移動が生じないようにするために請求項６記載の本発明が採用した手段は、前記空間は、前記浴室外に手前側が開口し、奥側が前記架台に取着した蓋部で覆われている請求項５記載の浴室と浴室外の間の仕切り構造である。
本発明にあっては、浴槽の外回りの作業や点検を行った後の架台の空間を蓋部で覆い、浴室の浴槽設置領域と浴室外の間を遮断できる。
【００１０】
架台を有効利用してエプロンを強固に配設するために請求項７記載の本発明が採用した手段は、前記架台と前記浴室を形成する壁パネルの間に桟材を架設し、前記浴槽を覆うエプロンを該桟材に取り付けた請求項１乃至６のいずれか一項に記載の浴室と浴室外の間の仕切り構造である。
本発明にあっては、架台と壁パネルの間に架設し桟材にエプロンを強固に取り付けることができる。
【発明の効果】
【００１１】
請求項１記載の本発明に係る浴室と浴室外の間の仕切り構造は、架台を有効利用して浴室及び／又は浴室外の容積を拡大できる。
請求項２記載の本発明に係る浴室と浴室外の間の仕切り構造は、架台に据え置いた仕切壁体を用いて浴室と浴室外を仕切ることにより、浴室及び／又は浴室外の容積を拡大できる。
【００１２】
請求項３記載の本発明に係る浴室と浴室外の間の仕切り構造は、架台の据置き位置に若干の誤差が生じたとしても、架台の上面に連結具の取付け位置の調整代があるため、据え置いた架台自体を移動調整することなく、架台の上面に連結具を介して仕切壁体の下端を固定でき、架台に仕切壁体を据え置き施工するときの施工性を向上させることができる。  請求項４記載の本発明に係る浴室と浴室外の間の仕切り構造は、架台の開口する空間により浴室外を広く感じさせることができる。
【００１３】
請求項５記載の本発明に係る浴室と浴室外の間の仕切り構造は、浴槽の外回りの作業領域を拡大させることができる。
請求項６記載の本発明に係る浴室と浴室外の間の仕切り構造は、浴槽の外回りの作業や点検を行った後の架台の空間を蓋部で覆うことにより、浴室の浴槽設置領域と浴室外の間における空気の移動を防止できる。
【００１４】
請求項７記載の本発明に係る浴室と浴室外の間の仕切り構造は、架台を有効利用してエプロンを強固に配設することができる。
【発明を実施するための最良の形態】
【００１５】
本発明に係る浴室と浴室外の間の仕切り構造（以下、「本発明仕切り構造」と言う。）を図面に示す実施形態に基づいて説明する。
【００１６】
図１乃至図９は本発明仕切り構造を採用した施工例を示すものであり、図１は浴室１及び浴室外である隣室４を断面して示す平面図、図２は図１のＩＩ−ＩＩ線で断面して中間省略した正面図、図３（Ａ）は図１のＩＩＩ−ＩＩＩ線で断面して拡大した部分を示す正面図、同図（Ｂ）は仕切壁体１４の上下端の固定構造を拡大して示す中間省略した正面図、図４は図１のＩＶ−ＩＶ線で断面した下半部を示す一部破断した左側面図、図５（Ａ）は図１のＶ−Ｖ線で断面した下半部を拡大して示す左側面図、同図（Ｂ）は同図（Ａ）のｂ−ｂ線で断面した部分を示す正面図、同図（Ｃ）は同図（Ａ）のｂ−ｂ線で断面した部分の別態様を示す正面図、図６は図１のＶＩ−ＶＩ線で断面して拡大した部分を示す中間省略した正面図である。図７は浴室１及び隣室４の施工途中を示す平面図、図８は本発明仕切り構造を採用する浴室１及び隣室４の施工途中を断面して示す正面図である。図９は施工例の別態様の実施の形態を示すものであり、同図（Ａ）は下半部を断面して示す正面図、同図（Ｂ）は架台１３の近辺を拡大して示す正面図である。図１０は図１の施工例を示すものであって、同図（Ａ）はエプロン２７の一部を破断して示す正面断面図、同図（Ｂ）は浴槽１１の周辺に設けられる架台１３，化粧板２８及びエプロン１２７等を分解して示す斜視図である。
【００１７】
本実施の形態に係る浴室１は、図１に示す如く、後側の浴槽設置領域２と手前側の洗い場領域３が設けられ、左側の隣室４と手前側の外構に設けられたデッキ５が隣接している。浴室１と左側の隣室４の間は、浴槽設置領域２側に設けた仕切壁６及び洗い場領域３側に設けた揺動式扉７（図６参照）で仕切られ、浴室１と手前側のデッキ５の間は、引き戸８で仕切られている。浴室１は、図4 に示す如く、浴槽設置領域２の床面を形成する浴槽設置用防水パン９（図７参照）と、洗い場領域３の床面を形成する洗い場形成用防水パン１０（同図参照）を備え、浴槽設置用防水パン９に浴槽１１を載設すると共に、洗い場形成用防水パン１０に床仕上げ材１２を敷設してある。隣室４は、脱衣室として用いられ、洗面化粧台（図示略）を設置して洗面室として兼用されることもある。隣室４は、脱衣室以外に、便所，洗濯室又は寝室等とすることもある。なお、浴室１の室外となる隣室４は、屋内の部屋に限定されるものではなく、屋外のデッキ等で形成される空間であってもよい。
【００１８】
前記浴室１の浴槽設置領域２と左側の隣室４の間を仕切る仕切壁６は、図２に示す如く、浴槽１１と隣室４の間に据え置いた架台１３と、架台１３に据え置いて天井１５に連結する仕切壁体１４を用いて構築してある。仕切壁体１４は、透明又は半透明なガラス板又は樹脂板や、基板にタイル等の仕上板を貼着したパネル（図示略）が用いられる。
【００１９】
前記架台１３は、図３及び図４に示す如く、隣室４の床部１６の右側縁部に据え置かれ、根太３１にビス等で固定され、隣室４の室内床面１６ａより上方に位置する上方横部材１３ａと、上方横部材１３ａを支持する複数本の縦部材１３ｂとを連結して組み立てられている。架台１３は、施工時の取り扱いが容易となるように、複数本の縦部材１３ｂの下端を下方横部材１３ｃで連結して全体を枠組みしてある。架台１３は、浴槽設置領域２が浴槽排水具（図示略）等から漏れ出す湯気で高湿度となるため、耐水性素材で組み立てられる。耐水性素材としては、架台１３を軽量化して扱い易くすると共に、後述する連結具１７を取付けるためのビス止め２４（図８参照）が容易にできるようにするために、発泡樹脂や耐水性木材が選択される。なお、架台１３は、隣室４の床部１６に据え置くことなく、図９（Ａ）（Ｂ）に示す如く、土台２３の上に直接据え置き、ビス等で固定することもある。また、土台２３が無い場合には、図示は省略したが、基礎３２の上に据え置き、コンクリート用ビスで固定することもある。
【００２０】
前記架台１３は、図５に示す如く、後述する化粧板２０及び蓋体２１，２１で覆われ、上方横部材１３ａ及び縦部材１３ｂ，１３ｂで囲まれる空間１３ｄ，１３ｄまで入り込む凹部Ｓ１，Ｓ１が、隣室４に開口するようにして設けられている。隣室４は、凹部Ｓ１，Ｓ１により、室内容積が大きくなり、室内が広く感じる。上記架台１３の各空間１３ｄは、浴槽１１の外回りの空間Ｓ２と隣室４との間で貫通可能となり、隣室４から浴槽１１の外回りの作業ができるようになっている。また、上記架台１３の各空間１３ｄは、隣室４に手前側が開口し、奥側が架台１３に取着した蓋体２１の蓋部２１ａで覆われ、浴槽１１の外回り空間Ｓ２と隣室４の間で湿気や臭気等を含む空気の移動が生じないようにしてある。
【００２１】
前記架台１３は、図５（Ｂ）に示す如く、隣室４に面する側を化粧板２０や蓋体２１で覆ってある。化粧板２０は、防水性の下地板（例えば、セメント状心板の平面的に広がる両表面側に補強ガラス繊維のメッシュシートを埋め込んで、両表面側を補強したセメントボード）２０ａに複数枚のタイル等の仕上板２０ｂを貼着したもの等が用いられる。蓋体２１は、樹脂素材やステンレススチール等の耐水性素材で成形したものが選択される。
【００２２】
前記蓋体２１は、図５（Ｂ）に示す四周の枠部２１ｂと奥側の蓋部２１ａが一体に形成されたもの（前者）と、同図（Ｃ）に示す四周の枠部２１ｂと奥側の蓋部２１ａが別体に形成されて蓋部２１ａが着脱自在なもの（後者）とがある。前者の蓋体２１を用いる場合には、架台１３の貫通状態の各空間１３ｄを利用して浴槽１１の外回りの作業や点検を隣室４から行った後に、架台１３に蓋体２１を取着して各空間１３ｄの奥側を覆蓋する。また、後者や蓋体２１を用いる場合には、架台１３に予め蓋体２１を取着し、必要に応じて奥側の蓋部２１ａを着脱して、隣室４から貫通状態の各空間１３ｄを利用して浴槽１１の外回りの作業や点検を行うことができる。各蓋体２１の内側に形成された凹部Ｓ１は、収納用として利用することも可能である。なお、前記架台１３は、図示は省略したが、蓋体２１，２１を用いることなく、隣室４に面する外側を化粧板２０で覆うことも勿論可能である。
【００２３】
前記架台１３は、図３に示す如く、上方横部材１３ａの上面に取付けた連結具１７で仕切壁体１４の下端を固定してある。架台１３は、上方横部材１３ａの上面の左右方向に沿った幅方向の寸法Ｗ１が連結具１７の同幅方向の寸法Ｗ２より大きくなっており、上方横部材１３ａの上面に取り付ける連結具１７の位置を変更できる調整代を設けてある。上方横部材１３ａの上面に調整代を設けるのは、天井１５に予め取付けてある連結具１８に仕切壁体１４を連結する位置が優先的に決まると共に、架台１３を据え付けるときに若干の誤差が生じるためであり、優先的に決まる仕切壁体１４の位置と架台１３の据え付け誤差を調整する必要があるためである。架台１３は、上方横部材１３ａの上面に調整代を設けることにより、据え付け誤差を修正する必要がなくなり、施工性が向上する。
【００２４】
前記仕切壁体１４の下端を固定する連結具１７及び上端を固定する連結具１８は、図３（Ｂ）に示す如く、仕切壁体１４の端部を緩衝材３３やバックアップ材３４を介して外嵌する断面凹溝状の長尺材で成形されている。なお、仕切壁体１４の端面に嵌着用の凹溝が設けられているときには（図示略）、連結具１７，１８は、断面Ｔ字状の長尺材で成形することもある。
【００２５】
前記浴槽１１の外回りは、図１０（Ａ）（Ｂ）に示す如く、左側の前記架台１３と、右側の壁パネル２５と、後側の壁パネル２６と、手前側のエプロン２７とで囲まれている。また、浴槽１１の上縁１１ａの回りは、化粧板２８で仕上げられている。これらエプロン２７及び化粧板２８を設けるために、本例は、前記防水パン９，１０の右側縁部及び後側縁部に壁パネル２５，２６を立設し、ブラケット４０を右側の壁パネル２５にビス等で取り付け、桟材４１を該ブラケット４０及び前記架台１３にビス等で取り付けて両者４０，１３の間に架設してある。そして、エプロン２７の防水性の下地板２７ａを桟材４１及び架台１３にビス等で取り付けると共に、化粧板２８の分割した防水性の下地板２８ａ−１，２８ａ−２，２８ａ−３を架台１３，ブラケット４０及び桟材４１にビス等で取り付け、これら下地板２７ａ及び下地板２８ａ−１，２８ａ−２，２８ａ−３の隣接する継目を接着剤及びメッシュシート（図示略）等を用いて一体化して漏水しないようにしてある。一体化したこれら下地板２７ａ及び下地板２８ａ−１，２８ａ−２，２８ａ−３は、その表面にタイル等の仕上板２７ｂ，２８ｂが貼着されて仕上げられる。
【００２６】
前記エプロン２７及び化粧板２８の下地板２７ａ，２８ａ−１〜２８ａ−３は、前記化粧板２０の下地板２０ａと同様に、例えば、セメント状心板の平面的に広がる両表面側に補強ガラス繊維のメッシュシートを埋め込んで、両表面側を補強したセメントボード等が用いられ、強い強度と防水性を持たせてある。前記ブラケット４０及び桟材４１には、発泡樹脂や耐水性木材からなる材料が用いられ、耐湿性を持たせ腐らないようにしてある。      
【００２７】
前記壁パネル２５，２６は、防水性の下地板の表面にタイル等の仕上板を貼着して仕上げるか、又は下地板の表面を塗装して仕上げたものが用いられ、下地板を前記防水パン９，１０の右側縁部及び後側縁部に起立させると共に、胴縁（図示略）を介し又は介することなく建物躯体の柱等に取り付けられ、下地板の継目を接着剤及びメッシュシート（図示略）等を用いて一体化した後に、仕上板を貼着するか又は塗装して仕上げられる。下地板は、例えば、セメント状心板の平面的に広がる両表面側に補強ガラス繊維のメッシュシートを埋め込んで、両表面側を補強したセメントボード等が用いられ、強い強度と防水性を持たせてある。
【００２８】
前記隣室４の床部１６は、図３（Ａ）に示す如く、根太３１の上に止め付けた木質下地板３５と、木質下地板３５を覆う耐水性の仕上層３６とからなる。仕上層３６は、防水性の下地板（例えば、セメント状心板の平面的に広がる両表面側に補強ガラス繊維のメッシュシートを埋め込んで、両表面側を補強したセメントボード）３６ａと、防水性の下地板に固定したタイル等からなる仕上板３６ｂとからなり、湿気を遮断して木質下地板３５や根太３１を腐らさないようになっている。
【００２９】
次に、浴室１を構築する施工手順を説明する。先ず、図７に示す如く、先に隣室４の床部１６，引き戸８及び天井１５（図２参照）を施工しておき、土台２３で四周が囲まれた浴室構築空間Ｓ３に、浴槽設置用防水パン９及び洗い場形成用防水パン１０を据え置き、防水パン９，１０の高さ及び水平のレベルを調節する。防水パン９，１０は、ＦＲＰ（繊維強化プラスチック）で一体に形成したもの、または、ＦＲＰで別体に形成されて施工現場で水密に接合されるものが用いられる。
【００３０】
次に、図８及び図１に示す如く、両防水パン９，１０の右側縁部及び後側縁部に壁パネル２５，２６を立設すると共に、浴槽設置用防水パン９に浴槽１１を据置き固定する。続けて、隣室４の床部１６の右側縁部の所定位置に架台１３を据え置き、床部１６や根太３１及び壁パネル２６にビス等で固定した後に、天井１５に取付けてある連結具１８の真下となる架台１３の上面の位置に、連結具１７をビス止め２４する。なお、床部１６や根太３１及び壁パネル２６に対するビス等で固定する作業は、架台１３の空間１３ｄ，１３ｄを利用して行われる。
【００３１】
続けて、図１０に示す如く、壁パネル２５にブラケット４０を取り付ると共に、ブラケット４０と架台１３の間に桟材４１を架設し、その後に、架台１３，ブラケット４０及び桟材４１を利用してエプロン２７及び化粧板２８を配設する。なお、エプロン２７は、両防水パン９，１０の間に凹溝部３８（図５参照）があるときには、凹溝部３８に嵌め込んで配設される。これと並行して、図６に示す如く、洗い場形成用防水パン１０の上に床仕上げ材１２を敷設すると共に、目皿付きの排水具２９を配設する。床仕上げ材１２を敷設するときに、隣室４の床部１６と洗い場形成用防水パン１０との間に水切り床部材３０を配設し、閉状態の揺動式扉７の下方の床部を水切り床部材３０で形成する。
【００３２】
最後に、図３及び図４に示す如く、架台１３の隣室４に面する側を化粧板２０や蓋体２１，２１で覆った後に、図２に示す如く、上下の連結具１８，１７の間に仕切壁体１４を差し込むようにして嵌め込んで固定すると共に、図１に示す如く、揺動式扉７を蝶番３７で柱３９に連結する。
【００３３】
本発明仕切り構造は、図１に示す如く、浴室１の浴槽設置領域２と隣室４の間の仕切壁６を架台１３及び架台１３に据え置いた仕切壁体１４を用いて構築しているので架台１３の有効利用が図れると共に、従来の室壁を形成する仕切壁が不要となるので浴室１及び／又は浴室外である隣室４の容積を拡大できる。
【図面の簡単な説明】
【００３４】
【図１】本発明仕切り構造を採用した施工例を示すものであり、浴室及び隣室を断面して示す平面図である。
【図２】図１のＩＩ−ＩＩ線で断面して中間省略した正面図である。
【図３】（Ａ）は図１のＩＩＩ−ＩＩＩ線で断面して拡大した部分を示す正面図、（Ｂ）は仕切壁体の上下端の連結構造を拡大して示す中間省略した正面図である。
【図４】図１のＩＶ−ＩＶ線で断面した下半部を示す一部破断した左側面図である。
【図５】（Ａ）は図１のＶ−Ｖ線で断面した下半部を拡大して示す左側面図、（Ｂ）は同図（Ａ）のｂ−ｂ線で断面した部分を示す正面図、（Ｃ）は同図（Ａ）のｂ−ｂ線で断面した部分の別態様を示す正面図である。
【図６】図１のＶＩ−ＶＩ線で断面して拡大した部分を示す中間省略した正面図である。
【図７】浴室及び隣室の施工途中を示す平面図である。
【図８】本発明仕切り構造を採用した浴室及び隣室の施工途中を断面して示す正面図である。
【図９】施工例の別態様の実施の形態を示すものであり、同図（Ａ）は下半部を断面して示す正面図、同図（Ｂ）は架台の近辺を拡大して示す正面図である。
【図１０】図１の施工例を示すものであって、同図（Ａ）はエプロンの一部を破断して示す正面断面図、同図（Ｂ）は浴槽の周辺に設けられる架台，化粧板及びエプロン等を分解して示す斜視図である。
【符号の説明】
【００３５】
１…浴室、２…浴槽設置領域、３…洗い場領域、４…隣室、６…仕切壁、１１…浴槽、１３…架台、１３ａ…上方横部材、１３ｂ…縦部材、１３ｄ…空間、１４…仕切壁体、１５…天井、１６ａ…室内床面、１７，１８…連結具、２１ａ…蓋部、４１…桟材、Ｓ１…凹部
【図１】
2005240329.tif 000003
【図２】
2005240329.tif 000004
【図３】
2005240329.tif 000005
【図４】
2005240329.tif 000006
【図５】
2005240329.tif 000007
【図６】
2005240329.tif 000008
【図７】
2005240329.tif 000009
【図８】
2005240329.tif 000010
【図９】
2005240329.tif 000011
【図１０】
2005240329.tif 000012